(57)【要約】【課題】  十分なストレッチ感を得ることのできるマット式施療装置を提供する。【解決手段】  マット本体１１と、このマット本体１１の中心に対して左右対称に設けた腰用の大きな一対のエアバッグＡ５,Ａ６とを備え、各エアバッグＡ５,Ａ６の上にそれぞれ重ねられ且つそのエアバッグＡ５,Ａ６より小さい一対のエアバッグＡ１１,Ａ１２（Ａ１３,Ａ１４）と、エアバッグＡ５,Ａ６の中間位置に配置され且つ一対のエアバッグＡ１１,Ａ１２（Ａ１３,Ａ１４）の上に重ねられる背筋用のエアバッグＡ２とを備え、各エアバッグＡ５,Ａ６,Ａ１１,Ａ１２（Ａ１３,Ａ１４）,Ａ２を順番に膨張させる。【選択図】  図１
2005168801.tif 000002
【特許請求の範囲】
【請求項１】
マット本体と、このマット本体の中心線に対して左右対称に設けた腰用の大きな一対の腰大エアバッグとを備えたマット式施療装置であって、
前記各腰大エアバッグの上にそれぞれ重ねられ且つその腰大エアバッグより小さい一対の腰小エアバッグと、
前記一対の腰大エアバッグの中間位置に配置され且つ前記一対の腰小エアバッグの上に重ねられる背筋用の背筋エアバッグとを備え、各エアバッグを順番に膨張させることを特徴とするマット式施療装置。
【請求項２】
前記一対の腰小エアバッグを膨張させた後、前記一対の腰大エアバッグを交互に膨縮させることを特徴とする請求項１に記載のマット式施療装置。
【請求項３】
前記腰大エアバッグを収縮させた後、腰小エアバッグを収縮させることを特徴とする請求項１または請求項２に記載のマット式施療装置。
【発明の詳細な説明】
【技術分野】
【０００１】
この発明は、マット本体と、このマット本に設けた複数のエアバッグとを備えたマット式施療装置に関する。
【背景技術】
【０００２】
従来から、マット本体に複数のエアバッグを設けたマッサージ装置が知られている。（特許文献１参照）。
【０００３】
かかるマッサージ装置は、マット本体の長手方向、すなわち背筋に沿う方向に複数のエアバッグを配置したものである。このマッサージ装置によれば、各エアバッグを順番に膨縮させたり、所望のエアバッグを膨縮さたりすることにより、人体の各部位を各種のモードでマッサージすることができる。
【特許文献１】特開２０００−２５４１８６号公報
【発明の開示】
【発明が解決しようとする課題】
【０００４】
しかしながら、このようなマッサージ装置にあっては、腰の位置のエアバッグを膨張させることにより腰のマッサージを行うことができるが、その腰用のエアバッグは１つであるため背筋を十分に延ばすことができず、このため十分なストレッチ感を得ることができなかった。
【０００５】
この発明の目的は、十分なストレッチ感を得ることのできるマット式施療装置を提供することにある。
【課題を解決するための手段】
【０００６】
請求項１の発明は、マット本体と、このマット本体の中心線に対して左右対称に設けた腰用の大きな一対の腰大エアバッグとを備えたマット式施療装置であって、
前記各腰大エアバッグの上にそれぞれ重ねられ且つその腰大エアバッグより小さい一対の腰小エアバッグと、
前記一対の腰大エアバッグの中間位置に配置され且つ前記一対の腰小エアバッグの上に重ねられる背筋用の背筋エアバッグとを備え、各エアバッグを順番に膨張させることを特徴とする。
【発明の効果】
【０００７】
この発明によれば、腰大エアバッグと腰小エアバッグと背筋エアバッグとが３段重ね状態となっており、しかも各エアバッグが順番に膨張されていくので、腰をゆっくりと高く持ち上げていくことができ、このため背筋を大きく延ばすことができ、十分なストレッチ感を得ることができる。
【発明を実施するための最良の形態】
【０００８】
以下、この発明に係るマット式施療装置（マット式マッサージ装置）の実施例を図面に基づいて説明する。
【実施例】
【０００９】
図１に示すマット式施療装置１０は、マット本体１１と、このマット本体１１に配設された複数のエアーバッグＡ１〜Ａ１４と、各エアーバッグＡ１〜Ａ１４のエアを給排気する給排気装置２０と、リモートコントロール装置（リモコン装置）３０とを備えている。
【００１０】
マット本体１１は、例えばウレタンホームからなるクッション材で構成され、このクッション材は各エアーバッグＡ１〜Ａ１４とともに図示しないカバーによって覆われている。
【００１１】
マット本体１０の下部（図１において）には給排気装置２０が設けられており、その下部の左側に給排気装置２０の駆動部２０Ａが設けられ、その下部の右側に給排気装置２０の制御部２０Ｂが設けられている。この駆動部２０Ａおよび制御部２０Ｂは上記カバーによって覆われている。
【００１２】
エアーバッグＡ１は人体の肩に対応した位置に配置され、エアーバック（背筋エアーバッグ）Ａ２はマット本体１１の中心線Ｌに沿ってマット本体１１の中心線に沿って配置されるとともにマット本体１１の長手方向に長く延びていて人体の背筋に対応している。エアーバッグＡ３は人体の太股に対応した位置に配置され、エアーバッグＡ４は人体の脹ら脛に対応した位置に配置され、エアーバッグ（腰大エアーバッグ）Ａ５,Ａ６は人体の腰に対応した位置に配置され大きく形成されている。エアーバッグＡ５,Ａ６は中心線Ｌに対して左右対称の位置に配置されてエアーバッグＡ２の両側に位置し、平面視でエアーバッグＡ５,Ａ６の一部がエアーバッグＡ２の下側に重なっている。
【００１３】
エアーバッグＡ７〜Ａ１０は人体の背中に対応した位置に配置され、エアーバッグＡ７,Ａ９とエアーバッグＡ８,Ａ１０とが中心線Ｌに対して左右対称位置に配置され、エアーバッグＡ７〜Ａ１０の中心線Ｌ側の一部がエアーバッグＡ２の下側に重なっている。
【００１４】
エアーバッグ（腰小エアーバッグ）Ａ１１〜Ａ１４は、人体の腰に対応しており、エアーバッグＡ５,Ａ６より小さく形成され、エアーバッグＡ１１,Ａ１３とエアーバッグＡ１２,Ａ１４とが中心線Ｌに対して左右対称位置に配置されている。そして、図２に示すようにエアバッグＡ１１,Ａ１３がエアーバッグＡ５の上に重ねられており、エアバッグＡ１２,Ａ１４がエアーバッグＡ６の上に重ねられている。また、エアバッグＡ１１,Ａ１３の中心線Ｌ側の一部がエアーバッグＡ２の下側に重ねられている。同様に、エアバッグＡ１２,Ａ１４の中心線Ｌ側の一部がエアーバッグＡ２の下側に重ねられており、エアーバッグＡ５,Ａ６とエアバッグＡ１１〜Ａ１４とエアーバッグＡ２とが３段重ねの状態になっている。
【００１５】
給排気装置２０は、図３に示すように、エアーを給気するためのポンプ２１と、エアバッグＡ１〜Ａ１４を膨縮させるための電磁弁Ｖ１〜Ｖ１４と、各電磁弁Ｖ１〜Ｖ１４を制御する制御装置２２等とを備えている。各電磁弁Ｖ１〜Ｖ１４は三方弁であり、各電磁弁Ｖ１〜Ｖ１４の弁が第１位置に切り換わるとエアバッグＡ１〜Ａ１４とポンプ２１とが連通して各エアバッグＡ１〜Ａ１４が膨張し、第２位置に切り換わるとその連通路が閉成されて各エアバッグＡ１〜Ａ１４が膨張した状態に維持され、第３位置に切り換わると各エアバッグＡ１〜Ａ１４は外気に連通されて各エアバッグＡ１〜Ａ１４の排気が行われて各エアバッグＡ１〜Ａ１４は収縮していくようになっている。
【００１６】
そして、ポンプ２１と電磁弁Ｖ１〜Ｖ１４が図１に示す駆動部２０Ａに配置され、制御装置２２と図示しない電源回路等が制御部２０Ｂに配置されている。
［動  作］
次に、上記のように構成されるマット式施療装置１０の動作について説明する。なお、全てのエアーバッグＡ１〜Ａ１４は収縮されており、各電磁弁Ｖ１〜Ｖ１４は第３位置に切り換わっていて各エアーバッグＡ１〜Ａ１４は外気に連通されているものとする。
【００１７】
先ず、リモコン装置３０のモードスイッチ（図示せず）を操作して例えば腰施療モードを設定してスタートスイッチ（図示せず）を押すと、ポンプ２１が駆動されるとともに電磁弁Ｖ５,Ｖ６が制御装置２２により制御されて第１位置に切り換えられる。電磁弁Ｖ５,Ｖ６の第１位置への切り換えにより図４に示すようにエアーバッグＡ５,Ａ６が膨張されていく。このエアーバッグＡ５,Ａ６の膨張により、腰Ｋが鎖線で示す位置へ持ち上げられて背中が少し反る状態となる。
【００１８】
エアーバッグＡ５,Ａ６が所定時間膨張されると、電磁弁Ｖ５,Ｖ６は第２位置に切り換えられてエアーバッグＡ５,Ａ６の膨張が停止されるとともにその膨張が維持される。
【００１９】
そして、電磁弁Ｖ１１〜Ｖ１４が制御装置２２により制御されて第１位置に切り換えられる。電磁弁Ｖ１１〜Ｖ１４の第１位置への切え換により図５に示すようにエアーバッグＡ１１〜Ａ１４が膨張されていき、腰Ｋはさらに鎖線で示す位置へ持ち上がられて背中は大きく反っていき、背筋は延ばされていく。
【００２０】
エアーバッグＡ１１〜Ａ１４が所定時間膨張されると、電磁弁Ｖ１１〜Ｖ１４は第２位置に切り換えられてエアーバッグＡ１１〜Ａ１４の膨張が停止されるとともにその膨張が維持される。
【００２１】
次いで、電磁弁Ｖ２が制御装置２２により制御されて第１位置に切り換えられる。電磁弁Ｖ２の第１位置への切り換えにより図６に示すようにエアーバッグＡ２が膨張されていき、腰Ｋはさらに鎖線で示す位置へ持ち上がられて背中はさらに大きく反っていき、背筋が大きく延ばされていく。
【００２２】
エアーバッグＡ２が所定時間膨張されると、電磁弁Ｖ２は第２位置に切り換えられてエアーバッグＡ２の膨張が停止されるとともにその膨張が維持される。
【００２３】
このように、エアーバッグＡ５,Ａ６,Ａ１１〜Ａ１４,Ａ２が順番に膨張されていくので、腰をゆっくりと高く持ち上げていくことができ、このため背筋を徐々に大きく延ばすことができ、十分なストレッチ感を得ることができる。
【００２４】
エアーバッグＡ２の膨張が所定時間維持されると、電磁弁Ｖ２が第３位置に切り換えられてエアーバッグＡ２が収縮され、この後電磁弁Ｖ５,Ｖ６が第３位置に切り換えられてエアーバッグＡ５,Ａ６が収縮されていく。そして、電磁弁Ｖ１１〜Ｖ１４が第３位置に切り換えられてエアーバッグＡ１１〜Ａ１４が収縮されていく。
【００２５】
このエアーバッグの収縮の際、エアーバッグＡ１１〜Ａ１４が最後まで膨張しているので、腰が膨張しているエアーバッグＡ１１〜Ａ１４により保持されることになり、このためその収縮の際に体が横へズレ落ちてしまうことがない。また、エアーバッグＡ１１〜Ａ１４が最後まで膨張しているので、エアーバッグＡ１１〜Ａ１４が小さいことによる指圧効果を保ったまま腰を下げていくことになる。この収縮の仕方が最も効果的である。
【００２６】
この実施例では、エアーバッグＡ２とエアーバッグＡ５,Ａ６とエアーバッグＡ１１〜Ａ１４をこの順番で収縮させているが、これらエアーバッグＡ２,Ａ５,Ａ６,Ａ１１〜Ａ１４を同時に一気に収縮させてもよく、下側からあるいは上側からエアーバッグＡ２,Ａ５,Ａ６,Ａ１１〜Ａ１４を順番に収縮させてもよい。
【００２７】
また、この実施例では、エアバッグＡ２,Ａ５,Ａ６,Ａ１１〜Ａ１４を下から順番に膨張させているが、上から順番に膨張させてもよい。
【００２８】
次に、捻りモードが設定された場合について説明する。
【００２９】
リモコン装置３０により捻りモードが設定されると、電磁弁Ｖ１１〜Ｖ１４が制御装置２２により制御されて第１位置に切り換えられる。電磁弁Ｖ１１〜Ｖ１４の第１位置への切り換えにより図７に示すようにエアーバッグＡ１１〜Ａ１４が膨張されていく。このエアーバッグＡ１１〜Ａ１４の膨張により、腰が所定位置に保持される状態となる。
【００３０】
エアーバッグＡ１１〜Ａ１４が所定時間膨張されると、電磁弁Ｖ１１〜Ｖ１４は第２位置に切り換えられてエアーバッグＡ１１〜Ａ１４の膨張が停止されるとともにその膨張が維持される。
【００３１】
次いで、電磁弁Ｖ６が制御装置２２により制御されて第１位置に切り換えられて、図８に示すようにエアーバッグＡ６が膨張されていく。このエアーバッグＡ６の膨張により体が捻られていく。エアーバッグＡ６が所定時間膨張されると、電磁弁Ｖ６が第３位置に切り換えられてエアーバッグＡ６が収縮されていき、体が元の状態に戻されていく。
【００３２】
エアーバッグＡ６が収縮されると電磁弁Ｖ５が第１位置に切り換えられて図９に示すようにエアーバッグＡ５が膨張されていく。このエアーバッグＡ５の膨張により上記と逆方向に体が捻られていく。エアーバッグＡ５が所定時間膨張されると、電磁弁Ｖ５が第３位置に切り換えられてエアーバッグＡ５が収縮されていき、体が元の状態に戻されていく。
【００３３】
そして、これら動作が繰り返し行われていく。すなわち、エアーバッグＡ６,Ａ５が交互に膨縮されていき、このエアーバッグＡ６,Ａ５の膨縮により体が交互に捻られて、ストレッチが行われていく。体が捻られる際、膨張を維持しているエアーバッグＡ１１〜Ａ１４により腰が保持されているので、エアバッグＡ６（Ａ５）の膨張によって体が横へズレてしまうことが防止され、体を確実に捻ることができ、ストレッチを確実に行うことができ、十分なストレッチ感を得ることができる。
【００３４】
エアーバッグＡ６,Ａ５の膨縮が所定回数行われると、最後に膨張したエアーバッグＡ５（Ａ６）が収縮されていき、この後エアーバッグＡ１１〜Ａ１４が収縮されて捻りモードは終了する。
【００３５】
このように、エアーバッグＡ１１〜Ａ１４が最後まで膨張しているので、体が横にズレてしまうことがない。
【００３６】
上記実施例では、エアバッグＡ５,Ａ６の上に４つのエアーバッグＡ１１〜Ａ１４を重ねて設けたものについて説明したが、エアバッグＡ５,Ａ６にエアーバッグＡ１１,Ａ１２またはエアーバッグＡ１３,Ａ１４だけを設けたものであってもよい。
【図面の簡単な説明】
【００３７】
【図１】この発明に係るマット式施療装置を示した平面図である。
【図２】マット本体の腰部分のエアーバッグの重なり状態を示した説明図である。
【図３】図１のマット式施療装置の給排気装置の構成を示したブロック図である。
【図４】腰大エアーバッグを膨張させた状態を示した説明図である。
【図５】腰大エアーバッグおよび腰小エアーバッグを膨張させた状態を示した説明図である。
【図６】腰大エアーバッグと腰小エアーバッグと背筋エアーバッグを膨張させた状態を示した説明図である。
【図７】腰小エアーバッグを膨張させた状態を示した説明図である。
【図８】腰小エアーバッグと一方の腰大エアーバッグを膨張させた状態を示した説明図である。
【図９】腰小エアーバッグと他方の腰大エアーバッグを膨張させた状態を示した説明図である。
【符号の説明】
【００３８】
１１              マット本体
２０              給排気装置
Ａ２              エアーバッグ
Ａ５,Ａ６         エアーバッグ
Ａ１１〜Ａ１４    エアーバッグ
【図１】
2005168801.tif 000003
【図２】
2005168801.tif 000004
【図３】
2005168801.tif 000005
【図４】
2005168801.tif 000006
【図５】
2005168801.tif 000007
【図６】
2005168801.tif 000008
【図７】
2005168801.tif 000009
【図８】
2005168801.tif 000010
【図９】
2005168801.tif 000011